(57)【要約】【課題】電線の端子への接続に係る信頼性を確保できるコネクタ構造を得る【解決手段】コネクタ構造１２は、接触対象と電気的に接続可能な端子４０と、端子４０を保持するハウジング２０と、突起部３６を有するリテーナ３０と、突起部３６において先端に向けて幅が広がる拡幅部３６Ｂとを備えている。そして、端子４０は、突起部３６の押圧により電線５２が圧着される圧着部４６Ａと、圧着部４６Ａから突起部３６の基部３６Ａに向けて延出すると共に、拡幅部３６Ｂを挟持する一対の延出部４６Ｂとを有している。【選択図】図５
2019220319.tif 000002
【特許請求の範囲】
【請求項１】
接触対象と電気的に接続可能な端子と、
前記端子を保持するハウジングと、
前記ハウジングに装着され、前記ハウジングに挿入される突起部を有するリテーナと、
前記突起部において先端に向けて幅が広がる拡幅部と、を備え、
前記端子は、
前記突起部の押圧により電線が圧着される圧着部と、
前記圧着部から前記突起部の基部に向けて延出すると共に、前記拡幅部を挟持する一対の延出部と、
を有するコネクタ構造。
【請求項２】
前記圧着部は、断面視において前記延出部とは反対側が凸となる略Ｖ字状に形成されている請求項１に記載のコネクタ構造。
【請求項３】
前記ハウジングは、前記圧着部を保持する前記圧着部に対応する形状の溝部を有する請求項１又は２に記載のコネクタ構造。
【請求項４】
前記圧着部は、前記電線の配設方向に対して斜め方向に延びるセレーションを有する請求項１〜３の何れか１項に記載のコネクタ構造。
【発明の詳細な説明】
【技術分野】
【０００１】
本発明は、電線が圧着される端子を備えたコネクタ構造に関する。
【背景技術】
【０００２】
下記特許文献１には、筐体にケーブルを固定する作業の簡易化を図ることが可能なコネクタが開示されている。このコネクタは、折曲げられた金属板からなる端子を有しており、当該端子に形成された貫通穴がその大きさが減少するように塑性変形することにより、電線である金属線がかしめられている。
【先行技術文献】
【特許文献】
【０００３】
【特許文献１】特開２０１２−１９０６２１号公報
【発明の概要】
【発明が解決しようとする課題】
【０００４】
しかし、上記のコネクタでは、貫通穴のエッジ部が芯線と接触することで芯線が傷付き、経年や振動等の影響で、かしめが緩む場合がある。また、貫通穴の内径に比べて電線が細い場合や単線の芯線からなる電線の場合、かしめが不十分となり易い。
【０００５】
本発明は、上記事実を考慮し、電線の端子への接続に係る信頼性を確保できるコネクタ構造を得ることを目的とする。
【課題を解決するための手段】
【０００６】
本発明の第１態様のコネクタ構造は、接触対象と電気的に接続可能な端子と、前記端子を保持するハウジングと、前記ハウジングに装着され、前記ハウジングに挿入される突起部を有するリテーナと、前記突起部において先端に向けて幅が広がる拡幅部と、を備え、前記端子は、前記突起部の押圧により電線が圧着される圧着部と、前記圧着部から前記突起部の基部に向けて延出すると共に、前記拡幅部を挟持する一対の延出部と、を有する。
【０００７】
本発明の第２態様のコネクタ構造は、第１態様のコネクタ構造において、前記圧着部は、断面視において前記延出部とは反対側が凸となる略Ｖ字状に形成されている。
【０００８】
本発明の第３態様のコネクタ構造は、第１又は第２態様のコネクタ構造において、前記ハウジングは、前記圧着部を保持する前記圧着部に対応する形状の溝部を有する。
【０００９】
本発明の第４態様のコネクタ構造は、第１〜第３態様の何れか１のコネクタ構造において、前記圧着部は、前記電線の配設方向に対して斜め方向に延びるセレーションを有する。
【発明の効果】
【００１０】
第１態様のコネクタ構造では、リテーナに設けられた突起部が電線を端子に対して圧着させている。この突起部は、先端に向けて幅が広がる拡幅部において一対の延出部により挟持されており、突起部は幅が狭まる方向である圧着部側に向かう力を受ける。すなわち、当該コネクタ構造によれば、電線が細い場合や電線を構成する芯線が単線である場合であっても電線の端子に対する圧着力を確保することができるため、接続に係る信頼性を確保することができる。
【００１１】
第２態様のコネクタ構造では、圧着部は断面視において延出部とは反対側に凸となる略Ｖ字状に形成されているため、圧着部に圧着された電線は幅方向中央に留まり易く、幅方向外側から延出部に逃げ難い。したがって、当該コネクタ構造によれば、電線の端子への接続に係る信頼性を向上させることができる。
【００１２】
第３態様のコネクタ構造では、突起部に押圧される圧着部が溝部により保持されている。当該コネクタ構造によれば、圧着部は電線に対する圧着力を受止めることができるため、接続に係る信頼性を確保することができる。
【００１３】
第４態様のコネクタ構造では、圧着部は電線の配設方向に対して斜め方向に延びるセレーションを有しており、圧着部に圧着された電線はセレーションと接触している。当該コネクタ構造によれば、圧着部においてセレーションが幅方向に沿って平行に設けられる場合と比べて、圧着部に圧着された電線が延出部に逃げることが抑制されている。そのため、電線の端子への接続に係る信頼性を向上させることができる。
【図面の簡単な説明】
【００１４】
【図１】第一の実施形態に係るメスコネクタの（Ａ）上斜め前方から見た斜視図、（Ｂ）側面図である。
【図２】第一の実施形態に係るメスコネクタであって、ハウジングにリテーナを装着する前の（Ａ）上斜め前方から見た斜視図、（Ｂ）側面図である。
【図３】第一の実施形態に係るメスコネクタの端子を上斜め前方から見た斜視図である。
【図４】第一の実施形態に係るメスコネクタであって、ハウジングにリテーナを装着する前の断面図（図２の４―４線断面図）である。
【図５】第一の実施形態に係るメスコネクタであって、（Ａ）端子の保持部に突起部が挿入される前の前方断面図、（Ｂ）端子の保持部に突起部が挿入された後の前方断面図側面図である。
【図６】第一の実施形態に係るメスコネクタであって、（Ａ）ハウジングにリテーナを装着する前の側方断面図、（Ｂ）ハウジングにリテーナを装着した後の側方断面図である。
【図７】第二の実施形態に係るメスコネクタであって、（Ａ）端子の保持部に突起部が挿入される前の前方断面図、（Ｂ）端子の保持部に突起部が挿入された後の前方断面図側面図である。
【図８】第三の実施形態に係るメスコネクタであって、端子の保持部の平断面図である。
【図９】比較例に係るメスコネクタであって、（Ａ）端子の保持部の平断面図、（Ｂ）端子の保持部に突起部が挿入された後の前方断面図である。
【発明を実施するための形態】
【００１５】
［第一の実施形態］
図１〜６を用いて、第一の実施形態のコネクタ構造１２が適用されたメスコネクタ１０について説明する。なお、各図面では、オスコネクタ（図示せず）が差込まれる側を前方とし、ロックレバー３４（図１（Ａ）参照）が設けられる側を上方として説明する。また、各図では、メスコネクタ１０の前方を矢印ＦＲで示し、上方をＵＰで示す。
【００１６】
図１（Ａ）に示す如く、本実施形態のメスコネクタ１０は、上方側の幅方向中央部に凹状部２０Ａを有する略箱状で樹脂製のハウジング２０を備えている。このハウジング２０には、前後方向に貫通する複数の挿通孔２２が設けられている。この挿通孔２２は上下２段に設けられており、上段の上部挿通孔２２Ｕは凹状部２０Ａを挟んで幅方向両側に８列ずつ、幅方向に沿って配置され、下段の下部挿通孔２２Ｌは幅方向に沿って２３列配置されている。挿通孔２２には、後述する端子４０が挿入されている。
【００１７】
図６（Ａ）及び（Ｂ）に示す如く、各上部挿通孔２２Ｕでは、上壁部の前方側に矩形状の係止孔２２Ａが設けられている。また、各下部挿通孔２２Ｌでは、下壁部の前方側に矩形状の係止孔２２Ａが設けられている。これらの係止孔２２Ａには、端子４０に設けられた係止部４４が突出している。
【００１８】
一方、挿通孔２２の後方側には挿通孔２２に接続される溝部２４が設けられている。この溝部２４は、上部挿通孔２２Ｕに接続される上部溝部２４Ｕと、下部挿通孔２２Ｌに接続される下部溝部２４Ｌとを有している。溝部２４は、前方断面視において後述する保持部４６に対応する形状とされている。具体的には、保持部４６の湾曲に沿って略Ｕ字状に形成されている。
【００１９】
図４に示す如く、上部溝部２４Ｕには、開口部２０Ｂとして上方側に開口する矩形状の上部開口部２０Ｕが設けられている。この上部開口部２０Ｕは、幅方向に並んで配置された上部溝部２４Ｕを跨いで設けられている。つまり、上部開口部２０Ｕは、凹状部２０Ａを挟んで幅方向両側にそれぞれ配置されている。また、下部溝部２４Ｌには、開口部２０Ｂとして下方側に開口する矩形状の下部開口部２０Ｌが設けられている。この下部開口部２０Ｌは、幅方向に並んで配置された下部溝部２４Ｌを跨いで設けられている。上部開口部２０Ｕ及び下部開口部２０Ｌは、後述するリテーナ３０に設けられた複数の突起部３６を上下方向に挿通するために設けられている。
【００２０】
図６（Ａ）及び（Ｂ）に示す如く、ハウジング２０の後端部には、凹部２６として、上方側の上部凹部２６Ｕと、下方側の下部凹部２６Ｌとが設けられている。上部凹部２６Ｕ及び下部凹部２６Ｌには配線５０の被覆５４の端部が収容される。ここで、本実施形態の配線５０は導電性金属としての複数の芯線からなる電線５２と、電線５２の周囲を覆う絶縁体である被覆５４とを含んで構成されている。なお、図６（Ａ）及び（Ｂ）において、電線５２は複数の芯線を一体化させて図示している。
【００２１】
また、ハウジング２０には、上部溝部２４Ｕから上部凹部２６Ｕにかけて、及び下部溝部２４Ｌから下部凹部２６Ｌにかけて、前後方向に延びる貫通孔２８が設けられている。貫通孔２８は電線５２が挿通可能な径で形成されている。この貫通孔２８には配線５０において被覆５４が除去されて露出した電線５２が挿通されており、貫通孔２８は配線を支持する支持部に相当する。
【００２２】
図３に示す如く、端子４０は前後方向を長手方向とするメス型端子であって、金属板（例えば、銅板）をプレスし、折曲げ加工を施すことにより形成されている。この端子４０は、前方側に略角筒状に形成された筒状部４２を有し、後方側に断面が略Ｕ字状に形成された保持部４６を有している。ここで、筒状部４２の幅及び高さは、挿通孔２２の幅及び高さよりも僅かに小さい。本実施形態の端子４０は、筒状部４２に対して、接触対象であるオス型端子（図示せず）が挿入されることで電気的に接続される。
【００２３】
図３及び図４並びに図５（Ａ）及び（Ｂ）に示す如く、保持部４６は、溝部２４に収容されており、開口部２０Ｂ側に開いた形状とされている。すなわち、上部挿通孔２２Ｕ及び上部溝部２４Ｕに挿入される端子４０では保持部４６は上方側に開き、下部挿通孔２２Ｌ及び下部溝部２４Ｌに挿入される端子４０では保持部４６は下方側に開いている。この保持部４６は、溝部２４の底部２４Ｂ側の圧着部４６Ａと、圧着部４６Ａの幅方向両端部から開口部２０Ｂ側に延出する一対の延出部４６Ｂとを有している（図４参照）。圧着部４６Ａは、断面視において底部２４Ｂ側が凸となるように湾曲している。
【００２４】
また、保持部４６は対向する延出部４６Ｂ同士が近接する部分が挟持部４６Ｃとして形成されている。そして、保持部４６は、挟持部４６Ｃよりも先端側が幅方向に広がっている。一方、保持部４６は、挟持部４６Ｃよりも底部２４Ｂ側が幅方向に膨らむ袋状に形成されている。保持部４６は弾性を有しており、保持部４６に後述する突起部３６が接触した場合、挟持部４６Ｃが幅方向に開くことで突起部３６は保持部４６の内部に挿入される。また、突起部３６が挿入された状態においては、突起部３６は挟持部４６Ｃに挟持されている。
【００２５】
また、図６（Ａ）及び（Ｂ）に示す如く、上部挿通孔２２Ｕに挿入される端子４０では、筒状部４２の上部に上方側に突出する係止部４４が設けられている。この係止部４４は、筒状部４２を構成する金属板の一部に、幅方向両側及び前方側の三方を囲む切り込みを入れ、切り込みのない後方側を起点に上方に折り曲げて形成されている（図３参照）。なお、下部挿通孔２２Ｌに挿入される端子４０は筒状部４２の下部に下方側に突出する係止部４４が設けられており、その構造は上部挿通孔２２Ｕに挿入される端子４０と同様である。
【００２６】
図１（Ａ）及び（Ｂ）並びに図２（Ａ）及び（Ｂ）に示す如く、ハウジング２０は、上下両側を樹脂製のリテーナ３０で挟持されている。詳しくは、ハウジング２０の上方側を覆う上部リテーナ３０Ｕと、ハウジング２０の下方側を覆う下部リテーナ３０Ｌとを有している。上部リテーナ３０Ｕの幅方向中央には、図示しないオスコネクタに対して係止されるロックレバー３４が設けられている。
【００２７】
リテーナ３０の幅方向外側には固定爪３２が設けられている。上部リテーナ３０Ｕでは、下方側に延出すると共に下端部から幅方向内側に向けて突起が形成され、下部リテーナ３０Ｌでは、上方側に延出すると共に上端部から幅方向内側に向けて突起が形成されている。なお、上部リテーナ３０Ｕの固定爪３２と、下部リテーナ３０Ｌの固定爪３２とは前後方向にずれて配置されている。リテーナ３０をハウジング２０に装着する際は、これら固定爪３２の先端に形成された突起がハウジング２０の幅方向外側に設けられた窪み部２０Ｃ（図２（Ｂ）参照）に係止されることで、リテーナ３０はハウジング２０に固定される。
【００２８】
図４に示す如く、リテーナ３０には、開口部２０Ｂに対応する位置において各溝部２４の内部に向けて突出する複数の突起部３６が設けられている。すなわち、上部リテーナ３０Ｕでは、上部開口部２０Ｕを挿通可能な突起部３６が設けられ、下部リテーナ３０Ｌでは、下部開口部２０Ｌを挿通可能な突起部３６が設けられている。この突起部３６は、溝部２４に収容された保持部４６に対応して設けられている。また、突起部３６は前方から見た断面形状がマッチ棒状とされており、前後方向の長さは保持部４６に略等しい（図６（Ａ）及び（Ｂ）参照）。
【００２９】
突起部３６は前方から見て幅が一定の基部３６Ａと、基部３６Ａから先端に向けて拡幅する拡幅部３６Ｂと、拡幅部３６Ｂから先端にむけて縮幅する接触部３６Ｃを有している。図５（Ｂ）に示す如く、これらの突起部３６は、上方側又は下方側において対向する保持部４６に対して挿入されている。保持部４６に挿入された突起部３６は、拡幅部３６Ｂが挟持部４６Ｃにより挟持されている。このとき、接触部３６Ｃにより、電線５２が保持部４６に圧着されている。
【００３０】
ここで、図６（Ａ）及び（Ｂ）に示す如く、本実施形態では突起部３６により貫通孔２８から突出した電線５２が底部２４Ｂ側にずれることで、電線５２に屈曲部５６が形成されている。
【００３１】
各リテーナ３０の後端には、ハウジング２０の凹部２６と対応する位置に、凹部２６に向けて突出する平板状の押圧部３８が設けられている。この押圧部３８は、リテーナ３０がハウジング２０に固定された場合に、凹部２６に収容された配線５０における被覆５４を凹部２６の底部に向けて押圧する機能を有している。
【００３２】
次に、本実施形態の作用を説明する。
【００３３】
本実施形態のメスコネクタ１０は次のように製造される。まず、作業者は、ハウジング２０の挿通孔２２に対して、保持部４６側を先頭に端子４０を挿入する。ここで、端子４０を挿通孔２２に挿入した際、係止部４４は筒状部４２の内側に弾性変形し、係止部４４の前端が係止孔２２Ａに達すると係止部４４の前端は係止孔２２Ａの内部に突出する。これにより、係止部４４の前端は係止孔２２Ａの前方側の壁面に係止され、端子４０はハウジング２０に保持される。
【００３４】
次に、作業者はハウジング２０の後方側から配線５０を挿入する。このとき、貫通孔２８に電線５２を挿入し、溝部２４の内部に電線５２を配置させる。
【００３５】
続いて、作業者はリテーナ３０をハウジング２０に装着する。まず作業者は、突起部３６が開口部２０Ｂに挿入されるように上部リテーナ３０Ｕ及び下部リテーナ３０Ｌをハウジング２０に被せて（図６（Ａ）参照）、接触部３６Ｃを挟持部４６Ｃに接触させる（図４参照）。このとき、図２（Ａ）及び（Ｂ）に示す如く、上部リテーナ３０Ｕはハウジング２０の上方側に、下部リテーナ３０Ｌはハウジング２０の下方側に浮いた状態となる。そして、作業者が上部リテーナ３０Ｕ及び下部リテーナ３０Ｌをハウジング２０に向けて押付けると、図１（Ａ）及び（Ｂ）に示す如く、固定爪３２の先端の突起が窪み部２０Ｃに係止され、各リテーナ３０はハウジング２０に固定される。
【００３６】
リテーナ３０がハウジング２０に固定されると、図５（Ｂ）及び図６（Ｂ）に示す如く、突起部３６は保持部４６に挿入される。そして、突起部３６では接触部３６Ｃが電線５２を圧着部４６Ａに押付けると共に、圧着部４６Ａが溝部２４（底部２４Ｂ）に保持されることで電線５２は圧着される。なお、突起部３６が保持部４６に挿入される前の電線５２は複数の芯線が略円形状にまとまっているが（図５（Ａ）参照）、突起部３６が保持部４６に挿入された後の電線５２は複数の芯線が圧着部４６Ａの幅方向に広がった状態で圧着される（図５（Ｂ）参照）。
【００３７】
また、図６（Ｂ）に示す如く、突起部３６の接触部３６Ｃが電線５２を圧着した際に、貫通孔２８から突出した電線５２が底部２４Ｂ側にずれることで、電線５２は屈曲し、屈曲部５６が形成される。一方、ハウジング２０の凹部２６に収容された配線５０の被覆５４は各リテーナ３０の後端に設けられた押圧部３８により押圧される。
【００３８】
以上のように、本実施形態のコネクタ構造１２は、リテーナ３０をハウジング２０に装着することで、同時に電線５２の端子４０への圧着が行われる。そして、メスコネクタ１０は完成する。
【００３９】
本実施形態では、突起部３６の接触部３６Ｃが電線５２を圧着した際に、屈曲部５６が形成される。この屈曲部５６は、電線５２が引張られた場合に抜けに対する抵抗部分となる。そのため、本実施形態によれば、電線５２の引張り強度を確保することができ、電線５２のハウジング２０からの抜けが抑制される。
【００４０】
また、本実施形態の屈曲部５６は、前後方向において、電線５２の端子４０への圧着部分と貫通孔２８との間に設けられている。そのため、電線５２が引張られた場合には張力が生じ、電線５２は突起部３６の後端部と貫通孔２８の前端部に強く接触することで抜けに対する抵抗力が生じる。すなわち、本実施形態によれば、電線５２の引張り強度を向上させることができる。
【００４１】
また、本実施形態では、電線５２が接触部３６Ｃの面と圧着部４６Ａの面との間で挟持されている。そのため本実施形態は、特許文献１のように金属板の端面で電線をかしめる、すなわち挟持部分が金属板の板厚程度に狭い場合に比べて、電線５２を挟持する面積が広い。したがって、電線５２の圧着力を確保しやすく、電線５２の引張り強度を確保しやすい。
【００４２】
ここで、特許文献１の端子では、貫通穴の塑性変形量が不足している場合は電線の圧着力が不足し、塑性変形量が過多の場合は金属板のエッジにより電線を傷付ける場合がある。電線が傷付いた場合、経年による劣化やコネクタが受ける振動により端子とのかしめが緩くなることで、接触抵抗が増加してしまう。これに対して、本実施形態は、電線の太さの違いに係らず電線を保持することができるため、異なる太さの電線への対応が容易である。特に、本実施形態は電線が細い場合、及び電線を構成する芯線が単線である場合における電線の圧着に適しており、安定して圧着力を確保することができる。そして、本実施形態では、電線が面同士で圧着されるため、電線が細い場合、及び電線を構成する芯線が単線である場合において、電線の傷付きが抑制されている。そのため、経年による劣化やコネクタが受ける振動の影響を受け難く、接触抵抗の増加が抑制される。
【００４３】
また、本実施形態では、リテーナ３０のハウジング２０への装着状態において、突起部３６は拡幅部３６Ｂが一対の延出部４６Ｂで構成される挟持部４６Ｃにより挟持されている。そのため、延出部４６Ｂの弾性力により、突起部３６は幅が狭まる方向である圧着部４６Ａ側に向かう力を受けている。すなわち、突起部３６は保持部４６に対して常に引込まれた状態とされている。本実施形態によれば、電線５２の端子４０に対する圧着力を確保することができ、接続に係る信頼性を確保することができる。
【００４４】
さらに、本実施形態では、凹部２６に収容された配線５０の被覆５４が各リテーナ３０の後端に設けられた押圧部３８により押圧されることにより配線５０が保持されている。これにより、電線５２のみで引張り強度を確保する場合に比べて、電線５２のハウジング２０からの抜けが抑制される。
【００４５】
本実施形態では、突起部３６に押圧される圧着部４６Ａが溝部２４（底部２４Ｂ）に保持されているため、圧着部４６Ａにおいて電線５２に対する圧着力を受止めることができ、接続に係る信頼性を確保することができる。
【００４６】
［第二の実施形態］
次に、図７を用いて、第二の実施形態のメスコネクタ１０について説明する。第二の実施形態は、第一の実施形態に対し、端子の保持部と、ハウジングの溝部の形状が相違する。以下、相違点について説明する。なお、第一の実施形態と同じ構成には同一の符号を付しており、説明については省略する。
【００４７】
図７（Ａ）及び（Ｂ）に示す如く、本実施形態の保持部１４６は、溝部１２４に収容されており、開口部２０Ｂ側に開いた形状とされている。この保持部１４６は、溝部１２４の底部１２４Ｂ側の圧着部１４６Ａと、圧着部１４６Ａの幅方向両端部から開口部２０Ｂ側に延出する一対の延出部１４６Ｂとを有している。圧着部１４６Ａは、断面視において底部１２４Ｂ側が凸となる略Ｖ字状に形成されている。
【００４８】
また、保持部１４６は対向する延出部１４６Ｂ同士が近接する部分が挟持部１４６Ｃとして形成されている。そして、保持部１４６は、挟持部１４６Ｃよりも先端側が幅方向に広がっている。一方、保持部１４６は、挟持部１４６Ｃよりも底部１２４Ｂ側が断面視において略菱形状に形成されている。
【００４９】
一方、本実施形態の溝部１２４は、断面視において保持部１４６に対応する形状とされている。具体的には、保持部１４６の圧着部１４６Ａの形状に合わせて、底部１２４Ｂが略Ｖ字状に形成されている。
【００５０】
本実施形態によれば、第一の実施形態のメスコネクタ１０の作用効果に加えて、次の作用効果を有している。
【００５１】
本実施形態では、圧着部１４６Ａは断面視において延出部１４６Ｂとは反対側となる底部１２４Ｂ側が凸となる略Ｖ字状に形成されている。そのため、圧着部１４６Ａに圧着された電線５２は幅方向中央に留まり易く、幅方向外側から延出部１４６Ｂに逃げ難い。すなわち、本実施形態では、電線５２の端子４０への接続に係る信頼性を向上させることができる。
【００５２】
なお、本実施形態においても、突起部３６に押圧される圧着部１４６Ａが溝部１２４（底部１２４Ｂ）に保持されているため、圧着部１４６Ａにおいて電線５２に対する圧着力を受止めることができ、接続に係る信頼性を確保することができる。
【００５３】
［第三の実施形態］
次に、図８を用いて、第三の実施形態のメスコネクタ１０について説明する。第三の実施形態では、端子４０の保持部４６の表面にセレーションが設けられる点で第一の実施形態と相違する。以下、相違点について説明する。なお、第一の実施形態と同じ構成には同一の符号を付しており、説明については省略する。
【００５４】
図８は、保持部４６の平断面図であって圧着部４６Ａの底面を観察した状態を示す。本実施形態の保持部４６は、電線５２が収容される内面側に複数のセレーション４６Ｄが並べて配置されている。このセレーション４６Ｄは、電線５２の配設方向（前後方向）に対して斜め方向に延設されている。
【００５５】
本実施形態では、圧着部４６Ａ及び延出部４６Ｂの双方にセレーション４６Ｄが設けられているが、この限りではなく、少なくとも電線５２が圧着される圧着部４６Ａに対して設けられていれば足りる。セレーション４６Ｄは、例えば、端子４０を製造する際のプレス工程において形成することができる。
【００５６】
本実施形態によれば、第一の実施形態のメスコネクタ１０の作用効果に加えて、次の作用効果を有している。
【００５７】
本実施形態では、圧着部４６Ａに圧着された電線５２はセレーション４６Ｄと接触している。そのため、電線５２が後方側に引張られた場合、電線５２は後方及び幅方向（図８では左方向）に僅かにずれるものの電線５２の抜けは抑制されている。
【００５８】
ここで、図９（Ａ）及び（Ｂ）に、比較例のコネクタ構造２１２が適用されたメスコネクタ２１０を示す。なお、第一の実施形態と同じ構成には同一の符号を付しており、説明については省略する。図９（Ａ）に示す如く、比較例のメスコネクタ２１０は、保持部４６において、幅方向に平行に延びるセレーション２４６Ｄが備えられている。比較例の端子４０においても、電線５２はセレーション２４６Ｄと接触しており、抜けは抑制されている。ただし、幅方向に平行なセレーション２４６Ｄの場合、電線５２の横ずれを抑制することは難しく、図９（Ｂ）に示す如く、電線５２を圧着した際に電線５２が延出部４６Ｂ側に逃げる恐れがある。そして、電線５２が延出部４６Ｂ側に逃げると接触部３６Ｃによる圧着力が減少して、電線５２の引張り強度が低下する。
【００５９】
これに対して本実施形態の圧着部４６Ａでは、電線５２が後方側に引張られた場合、斜めに配置されたセレーション４６Ｄにより、電線５２は後方及び幅方向に僅かにずれるものの、延出部４６Ｂ側まで大きく移動して逃げることは抑制されている。そのため、電線５２の端子４０への接続に係る信頼性を向上させることができる。
【００６０】
なお、第二の実施形態の保持部１４６に対して、電線５２の配設方向（前後方向）に対して斜め方向に延びるセレーションを設けてもよい。この場合、電線５２の幅方向への逃げが更に抑制される。
【００６１】
以上、上述した各実施形態のコネクタ構造では、メスコネクタを例に説明したがこの限りではなく、オスコネクタに対して各実施形態のコネクタ構造を採用してもよい。
【符号の説明】
【００６２】
１０  メスコネクタ、１２  コネクタ構造、２０  ハウジング、２４  溝部、
３０  リテーナ、３６  突起部、３６Ａ  基部、３６Ｂ  拡幅部、４０  端子、
４６Ａ  圧着部、４６Ｂ  延出部、４６Ｄ  セレーション、５２  電線、１２４  溝部、
１４６Ａ  圧着部
【図１】
2019220319.tif 000003
【図２】
2019220319.tif 000004
【図３】
2019220319.tif 000005
【図４】
2019220319.tif 000006
【図５】
2019220319.tif 000007
【図６】
2019220319.tif 000008
【図７】
2019220319.tif 000009
【図８】
2019220319.tif 000010
【図９】
2019220319.tif 000011